(57)【要約】【課題】高速な受信チャンネル設定を図ること。【解決手段】受信装置１０は、放送局を特定するチャンネル番号と、放送される放送波の受信周波数とを関連付けたテーブルを有するテーブル集合２１から、現在設定されている放送エリアのテーブルを読み出す。選局制御部１３は、読み出したテーブルにより特定される放送エリア内のチャンネル番号を順次選局するように選局部１２を制御する。選局されたチャンネル番号の放送局から放送される放送波の受信強度を測定部１４により測定した結果、受信強度がしきい値未満となるチャンネル番号が検出される。検出部１６により検出されたチャンネル番号から、現在設定されている放送エリアの隣接放送エリアのテーブルにおいて、同じチャンネル番号に関連付けられている放送局が放送する放送波の受信周波数が特定される。【選択図】図１−１
2008206032.tif 000002
【特許請求の範囲】
【請求項１】
放送エリアの放送局を特定するチャンネル番号と前記放送局が放送する放送波の受信周波数とを前記放送エリアごとに関連付けたテーブルを有するテーブル集合のうち、現在設定されている放送エリアのテーブルを読み出す読出手段と、
前記チャンネル番号を選局する選局手段と、
前記選局手段を制御して、前記読出手段によって読み出された一のテーブルにより特定される放送エリア内のチャンネル番号を順次選局する選局制御手段と、
前記選局制御手段によって順次選局されたチャンネル番号の放送局から放送される放送波の受信強度を測定する測定手段と、
前記測定手段によって測定された受信強度がしきい値未満であるか否かを判断する判断手段と、
前記判断手段によって受信強度が前記しきい値未満であると判断された放送局に関連付けられているチャンネル番号を、前記一のテーブルから検出する検出手段と、
前記検出手段によって前記一のテーブルからチャンネル番号が検出された場合、前記現在設定されている放送エリアの隣接放送エリアのテーブルを前記テーブル集合から抽出する抽出手段と、
前記抽出手段によって抽出された前記隣接放送エリアのテーブルから、前記検出手段によって検出されたチャンネル番号と同一番号に関連付けられている放送局が放送する放送波の受信周波数を特定する特定手段と、
前記一のテーブル内の前記検出手段によって検出されたチャンネル番号に関連付けられている受信周波数を、前記特定手段によって特定された受信周波数に書き換える書換手段と、
を備えることを特徴とする受信装置。
【請求項２】
前記判断手段は、
前記特定手段によって特定された受信周波数の放送波の受信強度が前記しきい値未満であるか否かを判断し、
前記書換手段は、
前記特定手段によって特定された受信周波数が前記しきい値未満でないと判断された場合、前記一のテーブル内の前記検出手段によって検出されたチャンネル番号に関連付けられている受信周波数を、前記特定手段によって特定された受信周波数に書き換えることを特徴とする請求項１に記載の受信装置。
【請求項３】
前記書換手段は、前記特定手段が前記隣接放送エリアのテーブルから、前記検出手段によって検出されたチャンネル番号と同一番号に関連付けられている放送局が放送する放送波の受信周波数を複数特定した場合に、前記測定手段より測定される受信強度が最も強い周波数を前記受信周波数に特定することを特徴とする請求項１または２に記載の受信装置。
【請求項４】
現在地を特定する現在地特定手段を備え、
前記読出手段は、前記テーブル集合のうち、前記現在地特定手段により特定された現在地に対応する放送エリアのテーブルを読み出すことを特徴とする請求項１〜３のいずれか一つに記載の受信装置。
【請求項５】
前記読出手段は、前記判断手段により受信強度が前記しきい値未満であると判断され、かつ、特定手段によって特定された受信周波数の放送波の受信強度が前記しきい値未満の放送局が所定数以上ある場合に、前記テーブル集合の全テーブルを読み出し、
前記測定手段は、前記読出手段が読み出した全テーブルのチャンネル番号と当該チャンネル番号に関連付けられた放送局が放送する放送波の受信強度を測定し、
前記検出手段は、前記測定手段の測定結果に基づいて、前記テーブル集合から最適な放送エリアのテーブルを検出することを特徴とする請求項１〜４のいずれか一つに記載の受信装置。
【請求項６】
放送エリアの放送局を特定するチャンネル番号と前記放送局が放送する放送波の受信周波数とを前記放送エリアごとに関連付けたテーブルを有するテーブル集合から、現在設定されている放送エリアのテーブルを読み出す読出工程と、
前記読出工程によって読み出された一のテーブルにより特定される放送エリア内のチャンネル番号を選局する選局工程と、
前記選局工程よって選局されたチャンネル番号の放送局から放送される放送波の受信強度を測定する測定工程と、
前記測定工程によって測定された受信強度がしきい値未満であるか否かを判断する判断工程と、
前記判断工程によって受信強度が前記しきい値未満であると判断された放送局に関連付けられているチャンネル番号を、前記一のテーブルから検出する検出工程と、
前記検出工程によって前記一のテーブルからチャンネル番号が検出された場合、前記現在設定されている放送エリアの隣接放送エリアのテーブルを前記テーブル集合から抽出する抽出工程と、
前記抽出工程によって抽出された前記隣接放送エリアのテーブルから、前記検出工程によって検出されたチャンネル番号と同一番号に関連付けられている放送局が放送する放送波の受信周波数を特定する特定工程と、
前記一のテーブル内の前記検出工程によって検出されたチャンネル番号に関連付けられている受信周波数を、前記特定工程によって特定された受信周波数に書き換える書換工程と、
を含むことを特徴とする受信チャンネル設定方法。
【請求項７】
放送エリアの放送局を特定するチャンネル番号と前記放送局が放送する放送波の受信周波数とを前記放送エリアごとに関連付けたテーブルを有するテーブル集合から、現在設定されている放送エリアのテーブルを読み出させる読出工程と、
前記読出工程によって読み出された一のテーブルにより特定される放送エリア内のチャンネル番号を選局させる選局工程と、
前記選局工程よって順次選局されたチャンネル番号の放送局から放送される放送波の受信強度を測定させる測定工程と、
前記測定工程によって測定された受信強度がしきい値未満であるか否かを判断させる判断工程と、
前記判断工程によって受信強度が前記しきい値未満であると判断された放送局に関連付けられているチャンネル番号を、前記一のテーブルから検出させる検出工程と、
前記検出工程によって前記一のテーブルからチャンネル番号が検出された場合、前記現在設定されている放送エリアの隣接放送エリアのテーブルを前記テーブル集合から抽出させる抽出工程と、
前記抽出工程によって抽出された前記隣接放送エリアのテーブルから、前記検出工程によって検出されたチャンネル番号と同一番号に関連付けられている放送局が放送する放送波の受信周波数を特定させる特定工程と、
前記一のテーブル内の前記検出工程によって検出されたチャンネル番号に関連付けられている受信周波数を、前記特定工程によって特定された受信周波数に書き換えさせる書換工程と、
をコンピュータに実行させることを特徴とする受信チャンネル設定プログラム。
【発明の詳細な説明】
【技術分野】
【０００１】
この発明は、放送波を受信する受信装置、受信チャンネル設定方法および受信チャンネル設定プログラムに関する。
【背景技術】
【０００２】
従来、放送波を受信する受信装置において、受信チャンネルの設定は、受信装置の利用者自身が個別におこなっていた。また、一旦いずれかの放送エリアに対応した受信チャンネルに設定した後、受信装置の設置地域が大きく変わってしまうような場合には、利用者が改めて受信チャンネルの設定をし直す必要があった。
【０００３】
そこで昨今では、アナログ放送対応、デジタル放送対応を問わず、受信装置に放送エリアごとにあらかじめ受信可能な放送局のチャンネルを記録したテーブルが内蔵されている。使用者は、受信装置の設定場所に応じて該当する放送エリアの受信可能な放送局のチャンネルをテーブルから読み出し、一括設定をおこなうことができる。
【０００４】
さらに、近年は、携帯電話などのモバイル端末に内蔵された受信装置も多く普及している。このような放送波の受信位置が度々変化する可能性の高い受信装置のなかには、基地局と通信により、受信装置が存在している場所が所定の範囲内で特定できる機能や、ＧＰＳ衛星からの送信電波を受信して自装置の現在位置を特定する機能が備えられているものも多数開発されている。このように、自装置の現在位置を取得可能な受信装置では、取得した現在地情報に基づいて、対応する放送エリアのテーブルを読み出し、自動的に受信可能チャンネルと、この受信可能チャンネルの放送波を受信するための周波数を設定できる装置も開示されている（たとえば、下記特許文献１参照。）。
【０００５】
【特許文献１】特開平８−１４０００４号公報
【発明の開示】
【発明が解決しようとする課題】
【０００６】
しかしながら、上述したように、移動可能な受信装置であっても、現在位置に関する情報を取得する機能が備わってなければ、使用者が現在位置を設定しなければならない。移動可能な受信装置では、上述のような設定作業を頻繁におこなわなくてはならず、利用者に対して操作負担がかかるという問題があった。
【０００７】
また、上述のように、利用者が現在位置情報を設定する場合であっても、また、受信装置自身が自動的に現在位置情報を設定する場合であっても、設定した現在地情報に対応する放送エリアの受信チャンネル設定によって最適な受信がおこなえるとは限らない。たとえば、受信装置を地域Ａと、地域Ｂの２つの放送エリアの境界付近で利用する場合、現在位置情報に対応させると、正確な放送エリアは地域Ａに設定されるとする。このような場合でも、ある特定のチャンネルの放送波を受信する際には、地域Ａに設定されている周波数の放送波よりも、地域Ｂに設定されている周波数の放送波の方が、強い電界強度で受信できることがある。このように、放送エリアの境界付近に位置する場合などには、受信テーブルを参照しただけでは最良の電波状態の放送波が受信できるような受信チャンネル設定をおこなえないという問題があった。
【０００８】
また、現在位置に関する情報を取得でき、なおかつ、現在位置に応じて個別に最適な受信チャンネル設定をおこなう場合であっても、受信装置に格納された全放送エリアの受信テーブルを対象に現在地に最適な受信チャンネル設定を検索するには、多大な処理時間を必要とする。したがって、受信装置の利用場所が頻繁に変更すると、即座に最適な受信チャンネル設定には変更できないという問題があった。
【０００９】
この発明は、上述した従来技術による問題点を解消するため、受信位置に応じて最適な受信チャンネル設定を高速に実現することのできる受信装置、受信チャンネル設定方法および受信チャンネル設定プログラムを提供することを目的とする。
【課題を解決するための手段】
【００１０】
上述した課題を解決し、目的を達成するため、本発明にかかる受信装置は、放送エリアの放送局を特定するチャンネル番号と前記放送局が放送する放送波の受信周波数とを前記放送エリアごとに関連付けたテーブルを有するテーブル集合のうち、現在設定されている放送エリアのテーブルを読み出す読出手段と、前記チャンネル番号を選局する選局手段と、前記選局手段を制御して、前記読出手段によって読み出された一のテーブルにより特定される放送エリア内のチャンネル番号を順次選局する選局制御手段と、前記選局制御手段によって順次選局されたチャンネル番号の放送局から放送される放送波の受信強度を測定する測定手段と、前記測定手段によって測定された受信強度がしきい値未満であるか否かを判断する判断手段と、前記判断手段によって受信強度が前記しきい値未満であると判断された放送局に関連付けられているチャンネル番号を、前記一のテーブルから検出する検出手段と、前記検出手段によって前記一のテーブルからチャンネル番号が検出された場合、前記現在設定されている放送エリアの隣接放送エリアのテーブルを前記テーブル集合から抽出する抽出手段と、前記抽出手段によって抽出された前記隣接放送エリアのテーブルから、前記検出手段によって検出されたチャンネル番号と同一番号に関連付けられている放送局が放送する放送波の受信周波数を特定する特定手段と、前記一のテーブル内の前記検出手段によって検出されたチャンネル番号に関連付けられている受信周波数を、前記特定手段によって特定された受信周波数に書き換える書換手段と、を備えることを特徴とする。
【００１１】
この発明によれば、所定のチャンネル番号に対応した放送局からの放送波の受信状態が悪い場合には、この所定のチャンネル番号の受信周波数を、現在位置する放送エリアの隣接放送エリアにて受信する際に設定する受信周波数に書き換えることができる。
【００１２】
また、上記発明において、前記判断手段は、前記特定手段によって特定された受信周波数の放送波の受信強度が前記しきい値未満であるか否かを判断し、前記書換手段は、前記特定手段によって特定された受信周波数が前記しきい値未満でないと判断された場合、前記一のテーブル内の前記検出手段によって検出されたチャンネル番号に関連付けられている受信周波数を、前記特定手段によって特定された受信周波数に書き換えてもよい。
【００１３】
この発明によれば、所定のチャンネル番号に対応した放送局からの放送波の受信状態が悪い場合には、放送波を正常に受信できるような受信周波数に書き換えることができる。
【００１４】
また、上記発明において、前記書換手段は、前記特定手段が前記隣接放送エリアのテーブルから、前記検出手段によって検出されたチャンネル番号と同一番号に関連付けられている放送局が放送する放送波の受信周波数を複数特定した場合に、前記測定手段より測定される受信強度が最も強い周波数を前記受信周波数に特定してもよい。
【００１５】
この発明によれば、現在地において、受信可能な放送波のうち、最も高品質な放送波を受信できる受信周波数に書き換えることができる。
【発明の効果】
【００１６】
本発明にかかる受信装置、受信チャンネル設定方法および受信チャンネル設定プログラムによれば、受信位置に応じた最適な受信チャンネル設定を高速に実現できるという効果を奏する。
【発明を実施するための最良の形態】
【００１７】
以下に添付図面を参照して、この発明にかかる受信装置、受信チャンネル設定方法および受信チャンネル設定プログラムの好適な実施の形態を詳細に説明する。
【００１８】
（受信チャンネル設定の基本処理）
まず、本発明にかかる受信装置の受信チャンネル設定の基本処理について説明する。図１−１は、本発明にかかる受信装置の機能的構成を示すブロック図である。図１−１のように、受信装置１０は、読出部１１と、選局部１２と、選局制御部１３と、測定部１４と、判断部１５と、検出部１６と、抽出部１７と、特定部１８と、書換部１９と、格納部２０とを含んで構成される。
【００１９】
また、格納部２０には、テーブル集合２１と、隣接情報２２とが格納されている。テーブル集合２１には、放送エリアの放送局を特定するチャンネル番号と、放送局が放送する放送波の受信周波数とが関連付けられたテーブルが、放送エリアごとに格納されている。また、隣接情報２２には、各放送エリアと、放送エリアごとに隣接する他の放送エリアをあらわす隣接情報が格納されている。
【００２０】
読出部１１は、現在設定されている放送エリアのテーブルを格納部２０のテーブル集合２１から読み出す。なお、現在設定されている放送エリアを判断するには、利用者からの選択指示を受け付けてもよいし、ＧＰＳユニットなどの位置特定装置を搭載して自律的に取得した現在位置情報を参照してもよい。また、受信装置１００の前回起動時の処理終了直前に設定されていた放送エリアを現在設定されている放送エリアに仮設定してもよい。
【００２１】
選局部１２は、放送エリア内のチャンネル番号を選局する。選局部１２の選局処理は、選局制御部１３によって制御される。選局制御部１３は、読出部１１によって読み出された一のテーブルにより特定される放送エリア内のチャンネル番号を順次選局するように選局部１２を制御して、チャンネル番号に対応した受信周波数に受信設定する。すなわち、読出部１１が現在設定されている放送エリアとして、たとえば、地域Ａのテーブルを読み出すと、選局部１２は、選局制御部１３により、地域Ａ内で放送局のチャンネル番号に順次選局される。
【００２２】
測定部１４は、選局制御部１３によって順次選局されたチャンネル番号の放送局から放送される放送波の受信強度を測定する。したがって、測定部１４は、テーブルに設定されているチャンネル番号の数に応じた回数の測定をおこなう。また、測定部１４により受信強度を測定するには、たとえば、選局されたチャンネル番号に対応する受信周波数の放送波の電界強度を測定する。
【００２３】
判断部１５は、測定部１４によって測定された受信強度がしきい値未満であるか否かを判断する。この判断処理において、しきい値の設定は、受信した放送波を再生させた場合画像状態が所定の品質を保てるような値に設定する。なお、上述したように、測定部１４は、チャンネル番号の数に応じた回数の測定をおこなうため、判断部１５において、信強度がしきい値未満であるか否かが判断されると、選曲制御部１３に帰還し、つぎのチャンネル番号を選曲させる。したがって、判断部１５においても、測定部１４による測定回数と同じ回数の判断がおこなわれる。
【００２４】
検出部１６は、判断部１５によって受信強度がしきい値未満であると判断された放送局に関連付けられているチャンネル番号を、読出部１１によって読み出されているテーブルから検出する。ここでも、判断部１５によって複数の放送局に関して受信強度がしきい値未満であると判断された場合には、判断された放送局数に応じた数のチャンネル番号が検出される。
【００２５】
抽出部１７は、検出部１６によってテーブルからチャンネル番号が検出された場合、現在設定されている放送エリアの隣接放送エリアのテーブルを格納部２０のテーブル集合２１から抽出する。なお、現在設定されている放送エリアの隣接放送エリアは、格納部２０の隣接情報２２に格納されている現在設定されている放送エリアの隣接情報を参照する。
【００２６】
特定部１８は、抽出部１７によって抽出された隣接放送エリアのテーブルから、検出部１６によって検出されたチャンネル番号と同一番号に関連付けられている放送局が放送する放送波の受信周波数を特定する。すなわち、特定部１８は、現在設定されている放送エリアにおいて正常に受信できなかったチャンネル番号の放送波を隣接放送エリアの放送局が放送している場合に、この放送局の放送波の受信周波数を特定する処理をおこなう。
【００２７】
書換部１９は、読出部１１が読み出したテーブル内のチャンネル番号のうち、検出部１６によって検出されたチャンネル番号に関連付けられている受信周波数を、特定部１８によって特定された受信周波数に書き換える。すなわち、書換部１９は、現在設定されている放送テーブルのチャンネル番号のうち、正常に受信できないチャンネル番号の受信周波数を、隣接する放送エリアで受信する場合の受信周波数に書き換える処理をおこなう。
【００２８】
なお、書換部１９は、測定部１４によって特定部１８によって特定された隣接放送エリアの受信周波数の設定した場合の放送波の受信強度を測定し、測定結果がしきい値以上であった場合にのみ、受信周波数を書き換えてもよい。さらに、特定部１８によって、現在設定されている放送エリアに隣接する複数の放送エリアの受信周波数が特定された場合には、測定部１４によって各受信周波数を設定した場合の受信強度を測定する。そして、測定した受信強度が最も強かった受信周波数を、現在チャンネル番号に関連付けられている受信周波数と書き換えるようにする。この処理により、チャンネル番号ごとに最も品質のよい放送波が受信できる受信周波数に設定することができる。
【００２９】
以上説明したように、受信装置１０は、上述したような処理をおこなう機能部から構成されている。つぎに、ある位置で受信装置１０を利用する際の受信チャンネル設定処理の手順について説明する。図１−２は、本発明にかかる受信装置の受信チャンネル設定処理手順を示すフローチャートである。図１−２のフローチャートにおいて、まず、読出部１１が格納部２０のテーブル集合２１から現在地の放送エリアのテーブルを読み出す（ステップＳ１）。
【００３０】
つぎに、ステップＳ１によって読み出したテーブルを参照して、選局制御部１３が未処理のチャンネル番号ｘの放送波を受信させるために選局部１２を制御する（ステップＳ２）。このステップＳ２において、選局制御部１３は、テーブルに基づいて、選局部１２の受信周波数をチャンネル番号ｘに対応する放送局の放送波の受信周波数にセットする処理をおこなっている。
【００３１】
続いて、ステップＳ２において受信した放送波の受信強度を測定部１４によって測定する（ステップＳ３）。そして、判断部１５によって、測定した受信強度がしきい値未満か否かを判断する（ステップＳ４）。ここで、受信強度がしきい値未満ではない、すなわち所定値以上であった場合は（ステップＳ４：Ｎｏ）、チャンネル番号ｘの放送波を正常に受信できると判断されたこととなる。したがって、チャンネル番号ｘの受信周波数の設定をそのまま維持し、ステップＳ８の処理に移行し、未処理の他のチャンネル番号に関する設定処理をおこなう。
【００３２】
一方、ステップＳ４において、受信強度がしきい値未満であると判断された場合は（ステップＳ４：Ｙｅｓ）、チャンネル番号ｘの放送波の受信周波数を変更するための処理に移行する。まず、読出部１１により、格納部２０の隣接情報２２に格納されている隣接情報を参照して隣接放送エリアのテーブルを読み出す（ステップＳ５）。
【００３３】
つぎに、ステップＳ５によって読み出された隣接放送テーブルを参照し、特定部１８により、隣接放送エリアにてチャンネル番号ｘに対応する放送局の受信周波数を特定する（ステップＳ６）。そして、書換部１９によって、放送エリアのテーブルのチャンネル番号ｘの受信周波数を特定部１８によって特定された受信周波数に書き換える（ステップＳ７）。
【００３４】
上述のステップＳ７の処理によりチャンネル番号ｘに関連付けられた放送局の放送波を受信するための最適な受信周波数を設定することができる。続いて、放送エリアのテーブルに設定されている他のチャンネル番号ｘに関しても同様に、最適な受信周波数に設定するために、放送エリアのテーブルに未処理のチャンネル番号ｘがあるか否かを判断する（ステップＳ８）。
【００３５】
ステップＳ８において、未処理のチャンネル番号ｘがあると判断された場合は（ステップＳ８：Ｙｅｓ）、ステップＳ２の処理に戻り、未処理のチャンネル番号ｘの処理に移行する。ステップＳ２〜ステップＳ７の処理は、放送エリアのテーブルに設定されている全てのチャンネル番号ｘの処理がおこなわれるまで繰り返され、未処理のチャンネル番号ｘがなくなると（ステップＳ８：Ｎｏ）、放送テーブルの全てのチャンネル番号ｘに、最適な受信周波数が対応付けられたと判断され、一連の受信チャンネル設定処理が終了する。
【００３６】
以上説明したように、本発明にかかる受信装置１０によれば、放送エリアに応じて一意的に設定されているテーブルのうち、放送波を正常に受信できない放送局がある場合には、この放送局と同じチャンネル番号で、より受信強度の強い、すなわち高品質な放送波を受信する受信周波数に書き換えることができる。
【００３７】
さらに、最適な受信周波数に書き換えるために、現在設定されている放送エリアに隣接する他の放送エリアのテーブルに着目して、受信周波数を特定する。したがって、処理対象となるテーブル数が限定され、高速な受信チャンネル設定処理が可能となる。
【００３８】
（実施の形態）
本実施の形態では、一例として、地上デジタル放送に対応した放送波を受信する受信装置について説明する。受信装置の特徴としては、１．あらかじめ、日本全国の放送エリア情報と、この放送エリアごとの変換テーブルと、放送エリアごとの隣接放送エリアを示す隣接情報とが格納された格納手段を備えている点と、２．放送波を受信するチューナの他に、設定された周波数の放送波を受信した際の電界強度を測定する専用のチューナを備えている点が挙げられる。
【００３９】
ここで、変換テーブルとは、図１−１にて説明したテーブル集合２１に格納されているテーブルに相当する。本実施の形態では、変換テーブルとしてリモコンチャンネル（リモコンＣｈ）と、対応する物理チャンネル（物理Ｃｈ）とが格納されている。リモコンチャンネルは、図１−１において説明したチャンネル番号に相当し、全国の放送エリアごとに設定された放送局の放送波を受信するための受信装置のリモコン番号である。また、物理チャンネルは、図１−１において説明した受信周波数に相当し、変換テーブルに設定された放送局の放送波を受信する物理的な周波数をあらわす値である。
【００４０】
（受信装置の構成）
つぎに、本実施の形態にかかる受信装置の構成について説明する。図２−１は、本実施の形態にかかる受信装置の構成を示すブロック図である。図２−１のように、本実施の形態にかかる受信装置１００は、アンテナ１０１と、放送用チューナ１０２と、電界強度用チューナ１０３と、音声アンプ１０４と、スピーカ１０５と、表示装置１０６と、チャンネル設定部１１０と、を含んで構成される。なお図１−１にて説明した受信装置１０の機能部１１〜１９は、チャンネル設定部１１０によって実現される。
【００４１】
アンテナ１０１は、各種の基地局から配信された放送波を受信する。受信する放送波は、アナログ放送波、デジタル放送波の種類を問わないが、本実施の形態では、一例として地上デジタル放送に対応する放送波を受信する。
【００４２】
放送用チューナ１０２は、設定された周波数（物理チャンネル）の放送波を受信部によって受信する。受信された放送波は、復調部によりＴＳ（トランスポート・ストリーム）に復調され、チャンネル設定部１１０の分離部１１１に出力される。なお、放送用チューナ１０２にて受信する放送波の物理チャンネルの設定は、後述するチューナ制御部１１５によっておこなわれる。
【００４３】
一方、電界強度用チューナ１０３は、電界強度検出部により、設定された周波数（物理チャンネル）の放送波の電界強度を検出する。検出された電界強度情報は、チャンネル設定部１１０に出力される。なお、電界強度用チューナ１０３にて受信する放送波の物理チャンネルの設定も、後述するチューナ制御部１１５によっておこなわれる。
【００４４】
音声アンプ１０４は、チャンネル設定部１１０から出力された音声情報を増幅する。増幅された音声情報は、スピーカ１０５に出力される。スピーカ１０５は、音声アンプ１０４により増幅された音声情報を音声に変換して出力する。また、表示装置１０６は、チャンネル設定部１１０から出力された画像情報を画像に変換して出力する。
【００４５】
つぎに、チャンネル設定部１１０について説明する。チャンネル設定部１１０は、分離部１１１と、音声復号部１１２と、動画復号部１１３と、画像合成部１１４と、チューナ制御部１１５とを含んで構成される。分離部１１１では、放送用チューナ１０２から入力されたＴＳを音声信号と動画信号とに分離する。分離された音声信号は音声復号部１１２、動画信号は動画復号部１１３において、それぞれ復号化される。さらに、復号化された音声信号と画像信号とは同期され、上述した各再生機能部（音声アンプ１０４、スピーカ１０５、表示装置１０６）に出力される。
【００４６】
以上説明した分離部１１１〜画像合成部１１４の処理は、放送番組を視聴するための処理をおこなう機能部である。一方、チューナ制御部１１５は、主に、受信装置１００の特徴である受信チャンネル設定をおこなうための機能部である。チューナ制御部１１５は、電界強度用チューナ１０３から電界強度情報が入力される。また、放送用チューナ１０２および電界強度用チューナ１０３の双方に対して物理チャンネルの設定を制御するための制御信号を出力する。また、チューナ制御部１１５は、動画復号部１１３からエラー情報を受け付ける。
【００４７】
図２−２は、チューナ制御部の詳細な構成を示すブロック図である。図２−２のように、チューナ制御部１１５は、受信用チューナ制御部１２１と、電界強度用チューナ制御部１２２と、チャンネル選択部１２３と、判定部１２４と、を備えている。また、チューナ制御部１１５には、格納部１２５が接続されている。この、格納部１２５は、受信装置１１０に内蔵された記録手段の一部であってもよいし、取り外し可能な外部の記録手段でもよい。
【００４８】
チューナ制御部１１５において、受信用チューナ制御部１２１は、放送用チューナ１０２に対してチャンネル変更の指示を出力する。同じく、電界強度用チューナ制御部１２２は、電界強度用チューナ１０３に対してチャンネル変更の指示を出力する。
【００４９】
また、チャンネル選択部１２３は、使用者の操作（チャンネル変更）に応じて受信するチャンネルを変更させる。また、チャンネル選択部１２３は格納部１２５に接続されている。格納部１２５は、ＲＯＭやＲＡＭなどのメモリによって構成されており、メモリの特性に応じて変換テーブルや、隣接情報が格納されている。とくに変換テーブルは、ＲＯＭ（不揮発メモリ）上に格納されているものを、ＲＡＭ（書換メモリ）上にコピーして用いる。これは、受信チャンネル設定処理により、変換テーブルに設定されている物理チャンネルの値が適宜書き換えられるためである。
【００５０】
判定部１２４は、格納部の隣接情報を参照して、電界強度用チューナ制御部１２２が、電界強度用チューナ１０３に対してチャンネル変更の指示とし適切か否かを判定する。この判定は、電界強度情報に基づいておこなわれる。
【００５１】
なお、上述したチャンネル設定部１１０は、ハードウェアによって構成してもよいし、ハードウェアの機能に相当する設計データを含むソフトウェアによって構成されてもよい。設計データとは、たとえば、チャンネル設定部１１０を、ＨＤＬで記述されたＲＴＬ記述や、論理合成後のネットリストにより表現したコンピュータ読取可能な電子データである。
【００５２】
本実施の形態にかかる受信装置１００は、以上のような構成を備えている。このように、放送用チューナ１０２と、電界強度用チューナ１０３とを備えているため、放送用チューナ１０２によって、放送波を受信して放送番組を視聴しながら、同時に電界強度用チューナ１０３によって、受信チャンネル設定処理を実行することができる。
【００５３】
（放送エリアと隣接情報との関係）
つぎに、受信装置１００を利用する際の放送エリアと隣接情報との関係について説明する。まず、現在地の放送エリアと隣接地域との関係について説明する。図３は、現在地の放送エリアと隣接地域との関係を示す説明図である。なお、図３における星印は、受信装置１００の現在地をあらわす。
【００５４】
図３の場合、受信装置１００の現在位置に対応する放送エリアは、地域Ａである。そして、地域Ａには、地域Ｂ、地域Ｃ、地域Ｄ、地域Ｅの４つの放送エリアが隣接放送エリアとして隣接している。図３の図表３０１は、現在設定されている放送エリア：地域Ａの変換テーブルの構成例である。また、図表３０２は、隣接放送エリア：地域Ｂの変換テーブルが構成されている。図２−１において説明したように、受信装置１００には、図３のような図表が放送エリアごとにそれぞれ変換テーブルとして格納されている。
【００５５】
変換テーブルについて、さらに説明すると、図表３０１：地域Ａの場合、リモコンＣｈとして「１，３，４，６」が受信可能であり、各リモコンチャンネルを受信するための物理チャンネルは「２８，２７，２６，２５」である。一方、図表３０２：地域Ｂの場合、地域Ａと同じくリモコンチャンネルとして「１，３，４，６」が受信可能であるが、各リモコンチャンネルを受信するための物理チャンネルは「３０，３１，４６，４８」と周波数が異なることがわかる。
【００５６】
また、リモコンチャンネルは、一般的に、ネット局の単位で付けられたチャンネル番号であり、隣接地域の場合には、同一放送ネット局であることが多い。したがって、隣の地域である地域Ｂのリモコンチャンネル１を見ると、物理チャンネル３０によって受信することができる。特に、図３のように受信装置１００が、放送エリア：地域Ａと隣接放送エリア：地域Ｂとの境界付近に位置する場合、対応する放送エリアは地域Ａが設定されるが、実際には地域Ｂの放送波も受信することができる。また、受信装置１００周辺の立地によっては、地域Ａと地域Ｂとのどちらの放送波が受信しやすいかは、実際に受信しなければ判別できない。
【００５７】
図４は、隣接情報の構成を示す図表である。図３にて説明した放送エリア：地域Ａと隣接放送エリアとの関係は、図４の図表４００のようなテーブルとして格納されている。また、図表４００に示されているように、地域Ｂには、隣接放送エリア：地域Ａ、地域Ｃ、地域Ｅの関係がテーブルとして格納されている。
【００５８】
なお、図表４００のようなテーブルは、基本的には新たに放送局が誕生しない限り変化しないため、格納部として、たとえば格納部２１５にＲＯＭ（図２−２参照）の記録領域に基本形を書き込んでおき、必要に応じて読み出すようにする。ただし、ＲＯＭから読み出しされた変換テーブルは、ＲＡＭ上にコピーして利用する。これは、後述する受信チャンネル設定処理によって、変換テーブルが適宜書き換えられるためである。
【００５９】
（受信チャンネル設定のためのサーチ処理）
本実施の形態にかかる受信装置１００は、放送波を受信する際の電界強度の値をトリガとして受信チャンネル設定のためのサーチ処理を開始する。また、受信チャンネル設定のためのサーチ処理は、地域内サーチ・隣接地域サーチ・全地域サーチの三段階に大別される。地域内サーチは、現在地として設定されている放送エリアの変換テーブルを参照した物理チャンネルのチャンネルサーチである。また、隣接地域サーチは、隣接放送エリアの変換テーブルを参照した物理チャンネルのチャンネルサーチである。そして、全地域サーチは、全地域の変換テーブルを参照した物理チャンネルのチャンネルサーチである。
【００６０】
受信装置１００は、地域内サーチ、隣接地域サーチ、全地域サーチの順に処理をおこない、受信チャンネル設定が完了するまでのサーチがおこなわれる。したがって、地域内サーチで受信チャンネル設定が完了すれば、地域内サーチのみ処理がおこなわれ、隣接地域サーチで受信チャンネル設定が完了すれば、隣接地域サーチまでの処理がおこなわれる。各サーチは、地域内サーチ、隣接地域サーチ、全地域サーチの順で処理対象となる情報量が少ないため、必要最低限の処理をおこなえばよい。したがって、従来技術のように、最初から全地域サーチをおこなう場合と比較して、格段に高速な受信チャンネル設定をおこなうことができる。
【００６１】
＜地域内サーチ＞
まず、地域内サーチ処理の手順について説明する。図５は、地域内サーチ処理の手順を示すフローチャートである。図５のフローチャートにおいて、まず、現在設定されている変換テーブルに基づいて、いずれかのリモコンチャンネルに対応する物理チャンネルを電界強度用チューナに設定し（ステップＳ５０１）、設定した物理チャンネルに応じた放送波の電界強度がしきい値以上か否かを判断する（ステップＳ５０２）。
【００６２】
ステップＳ５０２において、電界強度がしきい値以上であると判断されると（ステップＳ５０２：Ｙｅｓ）、現在設定されている物理チャンネルは、正常に放送波を受信できると判断され、設定が維持される。そして、現在設定されている変換テーブルにつぎの物理チャンネル（他のリモコンチャンネル）が存在するか否かを判断する（ステップＳ５０３）。
【００６３】
ステップＳ５０３において、つぎの物理チャンネルが存在すると判断された場合は（ステップＳ５０３：Ｙｅｓ）、ステップＳ５０１に戻り、つぎの物理チャンネルを電界強度用チューナに設定してステップＳ５０３までの処理を繰り返す。
【００６４】
このとき、物理チャンネルを順次設定してサーチ処理をおこない、ステップＳ５０２において電界強度がしきい値以上ではない判断されると（ステップＳ５０２：Ｎｏ）、設定された物理チャンネルは、現在地に適した受信周波数ではないと判断される。そして、現在地に適した物理チャンネルに設定するため、隣接地域サーチ処理に移行する（後述する図６のステップＳ６０１）。
【００６５】
＜隣接地域サーチ処理＞
つぎに、隣接地域サーチ処理の手順について説明する。図６は、隣接地域サーチ処理の手順を示すフローチャートである。ここで、隣接地域サーチ処理の手順について説明するため、図６の説明に移る。なお、図５の残りの処理については、図６のフローチャートが終了した後に説明する。
【００６６】
図６のフローチャートにおいて。まず、フラグＡをカウントアップする（ステップＳ６０１）。フラグＡは後述する全地域サーチへの移行判断に利用される。そして、隣接情報をもとに、隣接地域の変換テーブルを読み出すと（ステップＳ６０２）、読み出した変換テーブルから、同一リモコンチャンネルに対応する物理チャンネルを取得する（ステップＳ６０３）。
【００６７】
さらに、ステップＳ６０３において取得した物理チャンネルを電界強度用チューナ１０３に設定し（ステップＳ６０４）、検出された電界強度が元の物理チャンネルよりも強いか否かを判断する（ステップＳ６０５）。ここで、検出された電界強度が元の物理チャンネルよりも強ければ（ステップＳ６０５：Ｙｅｓ）、変換テーブルを更新して（ステップＳ６６０）、ステップＳ６０８の処理に移行する。なお、ステップＳ６０６における変換テーブルの更新とは、物理チャンネルとリモコンチャンネルとの対応を書き換える処理である。
【００６８】
一方、ステップＳ６０５において、検出された電界強度が元の物理チャンネルよりも強くなければ（ステップＳ６０５：Ｎｏ）、フラグＢをカウントアップして（ステップＳ６０７）、隣接地域サーチをおこなうつぎの隣接地域すなわち未処理の隣接地域が存在するか否かを判断する（ステップＳ６０８）。なお、フラグＢは後述する全地域サーチへの移行判断に利用される。このステップＳ６０８において、つぎの隣接地域が存在する場合は（ステップＳ６０８：Ｙｅｓ）、ステップＳ６０３の処理に戻り、隣接地域サーチをおこなう。一方、つぎの隣接地域が存在しない場合は（ステップＳ６０８：Ｎｏ）、隣接地域サーチが終了したため、地域内サーチ処理に戻る（図５のステップＳ５０３）。
【００６９】
ここで、図６のフローチャートの処理を視覚的に説明する。図７は、隣接地域の変換テーブルから最適な変換テーブルを作成する手順を示す説明図である。図７のように、放送エリア：地域Ａを特定された状態において、隣接地域サーチ処理がおこなわれた場合、まず地域Ａの変換テーブルから、電界強度が弱いと判断された物理チャンネル：２６Ｃｈが検出される（Ｓ７０１）。ここで、物理チャンネル：２６Ｃｈはリモコンチャンネル：４Ｃｈの受信周波数である。したがって、つぎに、隣接放送エリアのリモコンチャンネル４Ｃｈを受信するための隣接地域サーチ処理をおこなう。
【００７０】
そこで、まず、格納部から隣接情報を読み出す。そして、読み出した隣接情報：図表４００を参照し、放送エリア：地域Ａに対応する隣接放送エリア：地域Ｂ、地域Ｃ、地域Ｄ、地域Ｅの変換テーブルを読み出す。そして、読み出した各地域の変換テーブルにおけるリモコンチャンネルの４Ｃｈに対応する物理チャンネルを読み出し、電界強度用チューナに設定する（Ｓ７０２）。
【００７１】
以上の隣接地域サーチが終了すると、地域内サーチに戻る。したがって、図５のフローチャートに戻り、このフローチャートにおけるステップＳ５０４〜ステップＳ５０７の処理は、隣接地域サーチが終了後の処理となる。隣接地域サーチが終了後、まず、フラグＡがしきい値よりも大きいか否かの判断（ステップＳ５０４）と、フラグＢがしきい値よりも大きいか否かの判断をおこなう（ステップＳ５０５）。
【００７２】
ステップＳ５０４において、フラグＡがしきい値より大きい場合は（ステップＳ５０４：Ｙｅｓ）、現在設定している放送エリアにおいて受信可能なはずの基地局からの放送波の大半が受信できない状態をあらわす。また、ステップＳ５０５において、フラグＢがしきい値より大きいと判断された場合は（ステップＳ５０５：Ｙｅｓ）、隣接地域の変換テーブルを参照しても、放送波を良好に受信できる放送局が無いことをあらわす。
【００７３】
したがって、フラグＡがしきい値よりも大きく（ステップＳ５０４：Ｙｅｓ）、なおかつ、フラグＢがしきい値より大きいと判断された場合は（ステップＳ５０５：Ｙｅｓ）、正常に受信できるリモコンチャンネルが少なく、隣接地域にも対応する放送局が無い可能性が高いため、全地域サーチを実行し（ステップＳ５０６）、一連の受信チャンネル設定処理を終了する。なお、全地域サーチについては詳しく後述する。
【００７４】
一方、フラグＡがしきい値よりも大きくなければ（ステップＳ５０４：Ｎｏ）、正常に受信できるリモコンチャンネルが所定数以上を確保できているため、そのまま地域内サーチを終了し（ステップＳ５０７）、一連の受信チャンネル設定処理を終了する。また、フラグＢがしきい値より大きくないと判断された場合は（ステップＳ５０５：Ｎｏ）、隣接地域の変換テーブルを参照することにより、正常に受信できるリモコンチャンネルが所定数以上を確保できているため、そのまま地域内サーチを終了し（ステップＳ５０７）、一連の受信チャンネル設定処理を終了する。
【００７５】
なお、図７のような場合において、たとえば、物理チャンネル：２５Ｃｈ、２６Ｃｈ、２７Ｃｈ、２８Ｃｈを順次調べたところ、２７Ｃｈ、２６Ｃｈ、２５Ｃｈにおける電界強度が弱かったために、隣接放送エリア：地域Ｂの変換テーブルを参照して、２７Ｃｈに対応するリモコンチャンネル３に対応する物理チャンネル：３１Ｃｈや、リモコンチャンネル４に対応する物理チャンネル：４６Ｃｈの電界強度が強く検出されたとする。
【００７６】
上述のように各チャンネルを順次調査した結果、地域Ｂの変換テーブルから参照される物理チャンネルの検出結果の方が高い値になった場合には、すでに受信装置１００が、移動して放送エリア：地域Ｂに移ったと判断される。したがって、現在地に対応する放送エリアを地域Ａから地域Ｂに書き換えてもよい。この書き換えの処理は、各地域に割り当てられているリモコンチャンネルの過半数で電界強度が強いと判断された場合に書き換えを実行するような設定が望ましい。この判断基準は、たとえばＮＨＫ（登録商標）のような国営放送局は、あらゆる地方に点在しているが、民放放送局は配置される地域が限られている場合が多い。すなわち、近くの国営放送局からの放送波を受信できたために受信装置１００が放送エリアを移動したと判断されてしまい、変換テーブルが変更され、他の民放局を受信できなくなるような事態を防ぐためにおこなわれる。
【００７７】
＜全地域サーチ処理＞
つぎに、受信チャンネル設定のための三段階サーチのうち、最終段階となる全地域サーチについて説明する。全地域サーチとは上述したように全ての放送エリアから現在地に対応する放送エリアをサーチし、サーチされた放送エリアに対応する変換テーブルに基づいて受信チャンネル設定をおこなう処理である。まず、受信装置１００が、どのような状況になった場合に、全地域サーチをおこなうか説明する。本実施の形態の場合、全地域サーチは、上述した図５のステップＳ５０６の処理に移行した場合に実行される他、以下に説明するような場合にも実行される。
【００７８】
図８は、全地域サーチ判断処理の手順を示すフローチャートである。図８のフローチャートにおいて、まず、現在設定されている変換テーブルに基づいて物理チャンネルを電界強度用チューナに設定し、受信判断をおこなう（ステップＳ８０１）。このステップＳ８０１では、変換テーブルに設定されている全ての物理チャンネルを順次設定し、受信可能か否かを判断する。
【００７９】
つぎに、ステップＳ８０１の判断結果を参照して、全ての物理チャンネルが受信不可能であったか否かを判断する（ステップＳ８０２）。ここで、全ての物理チャンネルが受信不可能であった場合（ステップＳ８０２：Ｙｅｓ）、現在設定されている変換テーブルは、現在地と大きく離れた放送エリアの変換テーブルであると判断される。したがって、全地域サーチへの移行判断がなされ（ステップＳ８０４）、一連の判断処理を終了する。
【００８０】
一方、ステップＳ８０２において、全ての物理チャンネルが受信不可能ではなく、受信可能な物理チャンネルがあった場合（ステップＳ８０２：Ｎｏ）、現在設定されている変換テーブルに基づいて、上述したような、地域内サーチ・隣接地域サーチへの移行判断がなされ（ステップＳ８０３）、一連の判断処理を終了する。
【００８１】
つぎに、図８のフローチャートにおいて、全地域サーチへの移行判断がなされた後の、全変換テーブルを対象とした最適変換テーブル抽出手順について説明する。図９は、全変換テーブルを対象とした最適変換テーブルの抽出処理の手順を示す説明図である。全地域サーチをおこなう場合、まず、現在地にいて受信可能な物理チャンネルを一つサーチし、この物理チャンネルを検索基準用に設定する。どの物理チャンネルを検索基準用とするかは任意であるが、ここでは、現在地において、２０Ｃｈが検索基準用に設定されたとする。
【００８２】
そして、図９のように全変換テーブル９００から受信可能な放送波として物理チャンネル：２０Ｃｈが含まれている変換テーブル９１０を抽出する。そして、物理チャンネル２０を持つ地域Ｅ、地域Ｈ、地域Ｊの３パターンの変換テーブル９１０に設定されている各物理チャンネルから受信可能な物理チャンネルをサーチする。ここで、図９のように、２５Ｃｈが受信可能な物理チャンネルとしてサーチされたとする。このように、受信可能な物理チャンネルとして２０Ｃｈと、２５Ｃｈとがサーチされ、双方の物理チャンネルが設定されている変換テーブルをサーチしたところ最終的に、地域Ｅの変換テーブル９２０の１パターン絞られる。すると、現在の放送エリアは地域Ｅであると判断され、地域Ｅの変換テーブル９２０が現在地における最適な変換テーブルとして抽出される。このようにして、全変換テーブルを対象とした最適変換テーブル抽出処理が終了する。
【００８３】
このように、受信装置１００では、三段階のサーチを使い分けて受信チャンネル設定をおこなう。サーチを三段階に分けることにより、情報量の少ないサーチから順に必要最低限の処理をおこなえばよい。
【００８４】
以上説明したように、本実施の形態にかかる受信装置、受信チャンネル設定方法および受信チャンネル設定プログラムによれば、現在位置する放送エリアと、放送エリアに隣接する隣接放送エリアから最適な受信周波数に設定するためのサーチをおこなう。したがって、サーチ対象となる変換テーブル数が限定される。このように、三段階のサーチを使い分けて必要最低限のサーチをおこなうため、最適な受信チャンネル設定を高速に実現することができる。
【００８５】
なお、本実施の形態で説明した受信チャンネル設定方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【００８６】
（付記１）放送エリアの放送局を特定するチャンネル番号と前記放送局が放送する放送波の受信周波数とを前記放送エリアごとに関連付けたテーブルを有するテーブル集合のうち、現在設定されている放送エリアのテーブルを読み出す読出手段と、
前記チャンネル番号を選局する選局手段と、
前記選局手段を制御して、前記読出手段によって読み出された一のテーブルにより特定される放送エリア内のチャンネル番号を順次選局する選局制御手段と、
前記選局制御手段によって順次選局されたチャンネル番号の放送局から放送される放送波の受信強度を測定する測定手段と、
前記測定手段によって測定された受信強度がしきい値未満であるか否かを判断する判断手段と、
前記判断手段によって受信強度が前記しきい値未満であると判断された放送局に関連付けられているチャンネル番号を、前記一のテーブルから検出する検出手段と、
前記検出手段によって前記一のテーブルからチャンネル番号が検出された場合、前記現在設定されている放送エリアの隣接放送エリアのテーブルを前記テーブル集合から抽出する抽出手段と、
前記抽出手段によって抽出された前記隣接放送エリアのテーブルから、前記検出手段によって検出されたチャンネル番号と同一番号に関連付けられている放送局が放送する放送波の受信周波数を特定する特定手段と、
前記一のテーブル内の前記検出手段によって検出されたチャンネル番号に関連付けられている受信周波数を、前記特定手段によって特定された受信周波数に書き換える書換手段と、
を備えることを特徴とする受信装置。
【００８７】
（付記２）前記判断手段は、
前記特定手段によって特定された受信周波数の放送波の受信強度が前記しきい値未満であるか否かを判断し、
前記書換手段は、
前記特定手段によって特定された受信周波数が前記しきい値未満でないと判断された場合、前記一のテーブル内の前記検出手段によって検出されたチャンネル番号に関連付けられている受信周波数を、前記特定手段によって特定された受信周波数に書き換えることを特徴とする付記１に記載の受信装置。
【００８８】
（付記３）前記書換手段は、前記特定手段が前記隣接放送エリアのテーブルから、前記検出手段によって検出されたチャンネル番号と同一番号に関連付けられている放送局が放送する放送波の受信周波数を複数特定した場合に、前記測定手段より測定される受信強度が最も強い周波数を前記受信周波数に特定することを特徴とする付記１または２に記載の受信装置。
【００８９】
（付記４）現在地を特定する現在地特定手段を備え、
前記読出手段は、前記テーブル集合のうち、前記現在地特定手段により特定された現在地に対応する放送エリアのテーブルを読み出すことを特徴とする付記１〜３のいずれか一つに記載の受信装置。
【００９０】
（付記５）前記設定手段は、前記抽出手段によって隣接放送エリアから所定個以上のチャンネル番号が抽出された場合に、前記隣接放送エリアを現在地の放送エリアに再設定することを特徴とする付記１〜４のいずれか一つに記載の受信装置。
【００９１】
（付記６）前記検出手段が、しきい値以上の受信不良チャンネルを検出し、かつ、当該受信不良チャンネルのうち、前記作成手段により、隣接周波数に書き換えされなかった書き換えたチャンネルがしきい値以上であった場合、前記測定手段による測定結果に基づいて、前記格納手段に格納されている全受信テーブルから、最適な受信テーブルを検索する検索手段を備えることを特徴とする付記１〜４のいずれか一つに記載の受信装置。
【００９２】
（付記７）放送エリアの放送局を特定するチャンネル番号と前記放送局が放送する放送波の受信周波数とを前記放送エリアごとに関連付けたテーブルを有するテーブル集合から、現在設定されている放送エリアのテーブルを読み出す読出工程と、
前記読出工程によって読み出された一のテーブルにより特定される放送エリア内のチャンネル番号を選局する選局工程と、
前記選局工程よって選局されたチャンネル番号の放送局から放送される放送波の受信強度を測定する測定工程と、
前記測定工程によって測定された受信強度がしきい値未満であるか否かを判断する判断工程と、
前記判断工程によって受信強度が前記しきい値未満であると判断された放送局に関連付けられているチャンネル番号を、前記一のテーブルから検出する検出工程と、
前記検出工程によって前記一のテーブルからチャンネル番号が検出された場合、前記現在設定されている放送エリアの隣接放送エリアのテーブルを前記テーブル集合から抽出する抽出工程と、
前記抽出工程によって抽出された前記隣接放送エリアのテーブルから、前記検出工程によって検出されたチャンネル番号と同一番号に関連付けられている放送局が放送する放送波の受信周波数を特定する特定工程と、
前記一のテーブル内の前記検出工程によって検出されたチャンネル番号に関連付けられている受信周波数を、前記特定工程によって特定された受信周波数に書き換える書換工程と、
を含むことを特徴とする受信チャンネル設定方法。
【００９３】
（付記８）放送エリアの放送局を特定するチャンネル番号と前記放送局が放送する放送波の受信周波数とを前記放送エリアごとに関連付けたテーブルを有するテーブル集合から、現在設定されている放送エリアのテーブルを読み出させる読出工程と、
前記読出工程によって読み出された一のテーブルにより特定される放送エリア内のチャンネル番号を選局させる選局工程と、
前記選局工程よって順次選局されたチャンネル番号の放送局から放送される放送波の受信強度を測定させる測定工程と、
前記測定工程によって測定された受信強度がしきい値未満であるか否かを判断させる判断工程と、
前記判断工程によって受信強度が前記しきい値未満であると判断された放送局に関連付けられているチャンネル番号を、前記一のテーブルから検出させる検出工程と、
前記検出工程によって前記一のテーブルからチャンネル番号が検出された場合、前記現在設定されている放送エリアの隣接放送エリアのテーブルを前記テーブル集合から抽出させる抽出工程と、
前記抽出工程によって抽出された前記隣接放送エリアのテーブルから、前記検出工程によって検出されたチャンネル番号と同一番号に関連付けられている放送局が放送する放送波の受信周波数を特定させる特定工程と、
前記一のテーブル内の前記検出工程によって検出されたチャンネル番号に関連付けられている受信周波数を、前記特定工程によって特定された受信周波数に書き換えさせる書換工程と、
をコンピュータに実行させることを特徴とする受信チャンネル設定プログラム。
【産業上の利用可能性】
【００９４】
以上のように、本発明にかかる受信装置、受信チャンネル設定方法および受信チャンネル設定プログラムは、テレビ放送波を受信するための受信チャンネル設定を自動的に実行させる装置に有用であり、特に、携帯端末型の受信装置に適している。
【図面の簡単な説明】
【００９５】
【図１−１】本発明にかかる受信装置の機能的構成を示すブロック図である。
【図１−２】本発明にかかる受信装置の受信チャンネル設定処理手順を示すフローチャートである。
【図２−１】本実施の形態にかかる受信装置の構成を示すブロック図である。
【図２−２】チューナ制御部の詳細な構成を示すブロック図である。
【図３】現在地の放送エリアと隣接地域との関係を示す説明図である。
【図４】隣接情報の構成を示す図表である。
【図５】地域内サーチ処理の手順を示すフローチャートである。
【図６】隣接地域サーチ処理の手順を示すフローチャートである。
【図７】隣接地域の変換テーブルから最適な変換テーブルを作成する手順を示す説明図である。
【図８】全地域サーチ判断処理の手順を示すフローチャートである。
【図９】全変換テーブルを対象とした最適変換テーブルの抽出処理の手順を示す説明図である。
【符号の説明】
【００９６】
１０，１００  受信装置
１１  読出部
１２  選局部
１３  選局制御部
１４  測定部
１５  判断部
１６  検出部
１７  抽出部
１８  特定部
１９  書換部
２０  格納部
２１  テーブル集合
２２  隣接情報
１０１  アンテナ
１０２  放送用チューナ
１０３  電界強度用チューナ
１０４  音声アンプ
１０５  スピーカ
１０６  表示装置
１１０  チャンネル設定部
１１１  分離部
１１２  音声復号部
１１３  動画復号部
１１４  画像合成部
１１５  チューナ制御部
【図１−１】
2008206032.tif 000003
【図１−２】
2008206032.tif 000004
【図２−１】
2008206032.tif 000005
【図２−２】
2008206032.tif 000006
【図３】
2008206032.tif 000007
【図４】
2008206032.tif 000008
【図５】
2008206032.tif 000009
【図６】
2008206032.tif 000010
【図７】
2008206032.tif 000011
【図８】
2008206032.tif 000012
【図９】
2008206032.tif 000013